(57)【要約】【課題】小便器が前面に設けられたライニング部の上方に、書類などを収納することができるようにするトイレ用収納具を提供する。【解決手段】  男子トイレ室２内の壁面２ａから室内側に突出し、かつ、配管等が内部に収納されるとともに、前面４ａに小便器３が取り付けられたライニング部４の上方に設置するトイレ用収納具１であって、壁面２ａから離間して設置されるとともに所定の高さを有する板状部材１１と、板状部材１１の上部を、壁面２ａに対して固定する上側固定具１２と、板状部材１１の下部を、ライニング部４の上部に対して固定する下側固定具１３を有し、トイレ用収納具１を設置した際に、板状部材１１と壁面２ａとの間に、少なくとも上方が開口する収納空間２０を形成する。【選択図】  図４
2020036691.tif 000002
【特許請求の範囲】
【請求項１】
男子トイレ室内の壁面から室内側に突出し、かつ、配管等が内部に収納されるとともに、前面に小便器が取り付けられたライニング部の上方に設置するトイレ用収納具であって、
前記壁面から離間して設置されるとともに所定の高さを有する板状部材と、該板状部材の上部を、前記壁面に対して固定する上側固定具と、前記板状部材の下部を、前記ライニング部の上部に対して固定する下側固定具を有し、
前記トイレ用収納具を設置した際に、前記板状部材と前記壁面との間に、少なくとも上方が開口する収納空間を形成することを特徴とするトイレ用収納具。
【請求項２】
前記板状部材の上面より、上方に突出する棒状部材を設けたことを特徴とする請求項１記載のトイレ用収納具。
【発明の詳細な説明】
【技術分野】
【０００１】
本発明は、トイレ用収納具に関するものである。
【背景技術】
【０００２】
従来、男子用トイレ室内において、その壁面より室内側にライニング部を突出させ、そのライニング部内に配管等を収納するとともに、その前面に小便器を敷設することがある。
【０００３】
このような男子用トイレ室において小便器で用を足す際に、持参した鞄等を、ライニング部の上部に設けられた台の上に置くことがある。
【発明の概要】
【発明が解決しようとする課題】
【０００４】
一方、会社内などにおいては、書類などを持ったままトイレに入ることがある。しかし、書類などは、その形状によっては、ライニング部における台の上に、安定して立て掛けて置くことが困難な場合があり、書類などを、脇に挟むなどして所持したまま、用を足す必要があるという問題がある。
【０００５】
そこで、本発明は、ライニング部の上方に、書類などを収納することができるようにするトイレ用収納具を提供することを目的とするものである。
【課題を解決するための手段】
【０００６】
前記の課題を解決するために、請求項１記載の発明は、男子トイレ室内の壁面から室内側に突出し、かつ、配管等が内部に収納されるとともに、前面に小便器が取り付けられたライニング部の上方に設置するトイレ用収納具であって、
前記壁面から離間して設置されるとともに所定の高さを有する板状部材と、該板状部材の上部を、前記壁面に対して固定する上側固定具と、前記板状部材の下部を、前記ライニング部の上部に対して固定する下側固定具を有し、
前記トイレ用収納具を設置した際に、前記板状部材と前記壁面との間に、少なくとも上方が開口する収納空間を形成することを特徴とするものである。
【０００７】
また、請求項２記載の発明は、請求項１記載の発明において、前記板状部材の上面より、上方に突出する棒状部材を設けたことを特徴とするものである。
【発明の効果】
【０００８】
本発明のトイレ用収納具は、板状部材と壁面との間に、少なくとも上方が開口する収納空間を形成したことにより、この収納空間内に書類等を収納することができ、持参した書類等を持つことなく、小便器で用を足すことができる。
【０００９】
また、トイレ用収納具は、男子トイレ室内の壁面から離間して設けるとともに、所定の高さを有する板状部材と、この板状部材を、壁面に固定する上側固定具と、ライニング部の上面に対して固定する下側固定具を有することにより、ライニング部の上部に容易に取付けることができる。
【図面の簡単な説明】
【００１０】
【図１】本発明の実施例に係るトイレ用収納具の使用状態を示す斜視図。
【図２】本発明の実施例に係るトイレ用収納具の正面図。
【図３】図１の部分拡大図。
【図４】図２のＡ−Ａ線断面図。
【発明を実施するための形態】
【００１１】
［実施例１］
図１は、本発明の実施例１に係るトイレ用収納具１の斜視図、図２はその正面図である。
【００１２】
トイレ用収納具１は、図１〜図４に示すように、男子トイレ室２内の壁面２ａから室内側に突出し、かつ、配管等が内部に収納されるとともに、前面４ａに小便器３が取り付けられたライニング部４の上部に形成された台４ｂの上面に対して取付けて使用するものである。
【００１３】
トイレ用収納具１は、所定の高さと横幅を有する板状部材１１と、板状部材１１の上部を、トイレ室２の壁面２ａに対して固定する上側固定具１２と、板状部材１１の下部を、ライニング部４の上部に対して固定する下側固定具１３を有する。本実施例においては、板状部材１１の下部を、ライニング部４の台４ｂに対して固定した。
【００１４】
上側固定具１２と下側固定具１３は、一体に形成してもよいし、別部材で構成してもよいが、本実施例では、細長い金属板を折曲して、一体に形成した固定具１５とした。
【００１５】
板状部材１１は、所定の高さを有する板状の部材で構成され、本実施例ではパンチングメタルを用いて、内部が視認できるようにした。
【００１６】
上側固定具１２は、長手方向に所定の長さを有する腕部１２ａと、腕部１２ａにおける長手方向の両端部に、壁側取付部１２ｂと板側取付部１２ｃが設けられている。腕部１２ａ、壁側取付部１２ｂ、板側取付部１２ｃは、金属製の板材を曲折して一体に形成されている。壁側取付部１２ｂは、ネジ１６などの連結具により壁面２ａに対して固定され、板側取付部１２ｃは、リベット１７などの連結具により板状部材１１における上部の裏側に固定される。
【００１７】
下側固定具１３は、長手方向に所定の長さを有する腕部１３ａと、腕部１３ａにおける長手方向の一端部に、板側取付部１３ｂが設けられている。腕部１３ａと、板側取付部１３ｂは、金属製の板材を曲折して一体に形成されている。腕部１３ａは、ネジ１８などの連結具により、ライニング部４における台４ｂの上面に対して固定され、板側取付部１３ｂは、リベット１９などの連結具により板状部材１１における下部の裏側に固定される。
【００１８】
なお、本実施例においては、上側固定具１２の板側取付部１２ｃと、下側固定具１３の板側取付部１３ｂを一体に形成したが、別部材で構成してもよい。
【００１９】
上記構成により、板状部材１１は、壁面２ａに対して離間して固設され、板状部材１１と壁面２ａとの間には、少なくとも上部が開口する収納空間２０が形成される。収納空間２０の下端部にはライニング部４における台４ｂが位置し、この台４ｂが、図１，図４に示すように、収納空間２０内に書類などを収納した際に、収納した物品における下端の受け部材として機能する。
【００２０】
上側固定具１２における腕部１２ａには、その上面から上方に突出するとともに、板状部材１１の上面より上方に突出する棒状部材２１が固設されている。
【００２１】
本発明のトイレ用収納具１は、上記のように構成されていることにより、容易に、ライニング部４の台４ｂの上方に取付け、設置することができる。
【００２２】
また、図１、図４に示すように、収納空間２０内に書類等２２を収納することで、両手が自由な状態で小便器３において用を足すことができる。
【００２３】
また、棒状部材２１に、手提げ袋やヘルメットなどを掛け置くことができる。なお、この棒状部材２１は設けなくてもよい
【符号の説明】
【００２４】
１  トイレ用収納具
２  男子用トイレ室
２ａ  壁面
３  小便器
４  ライニング部
１１  板状部材
１２  上側固定具
１３  下側固定具
２０  収納空間
２１  棒状部材
【図１】
2020036691.tif 000003
【図２】
2020036691.tif 000004
【図３】
2020036691.tif 000005
【図４】
2020036691.tif 000006